(57)【要約】【課題】前面部の組立精度の向上と組立を容易にすることにより、見栄が良い家具用引き出しを提供することを目的とする。【解決手段】連結部材１２の両側端に取り付けたキャップ１３の後端片１３ｂをケコミ板１１の上面に載置し、前端片１３ａに前板１９を載置して位置決め可能とすることにより、引出しの前面部９の組立精度を向上するとともに組立を容易にすることができ、しかも見栄が良い家具用引き出しを提供することができる。【選択図】図２
2005287996.tif 000002
【特許請求の範囲】
【請求項１】
略クランク形状の前面部を備えた引き出しにおいて、前面部はケコミ板と前板を連結部材を介して連結する構成とし、連結部材の両側端に取り付けたキャップの後端片をケコミ板の上面に載置し、前端片に前板を載置して位置決め可能とする家具用引き出し。
【請求項２】
連結部材の両側端に取り付けたキャップの前端片の両側端面間の寸法と前板の幅寸法を略同一とし、キャップの側面に設けた突出部の両側面間の寸法とケコミ板の幅寸法を略同一とした請求項１に記載の家具用引き出し。
【請求項３】
前端片と突出部を一体に形成した請求項２に記載の家具用引き出し。
【請求項４】
キャップを左右対称形状とした請求項１〜３のいずれか１項に記載の家具用引き出し。
【請求項５】
請求項１〜４のいずれか１項に記載の家具用引き出しをキャビネットの下部に備えた収納家具。
【発明の詳細な説明】
【技術分野】
【０００１】
本発明は、台所やリビングに設置されるシステムキッチン等のキッチンキャビネットや食器棚の下部、特にケコミ部に設置する引き出しに関するものである。
【背景技術】
【０００２】
従来、この種のケコミ部の引き出しは連結具前端側に、前板下端が載置状態で取り付けられる前板取付部が一体形成される（例えば、特許文献１参照）。
【０００３】
図１０は、特許文献１に記載された従来の引き出しの前板部分を示すものである。図１０に示すように、前板１と、ケコミ２と、前板１を受ける前板取付部３を備えた連結具４から構成されている。
【特許文献１】特開２００１−１８６９４７号公報
【発明の開示】
【発明が解決しようとする課題】
【０００４】
しかしながら、前記従来の構成では、前板を載置状態で取り付けられる前板取付部が連結具に一体形成されているので、前方から前板取付部が見えるので見栄えが悪いという課題を有していた。また、連結具を例えばアルミや樹脂等の押し出し材で形成したとき、取付部が飛び出た形状のため成型性が悪いだけでなく、材料が余分に必要であるという課題を有していた。
【０００５】
本発明は、前記従来の課題を解決するもので、ケコミ板と前板を連結部材を位置決め可能とすることにより前面部の組立を容易にするとともに、前板の前方からは連結部材は見えない見栄が良い家具用引き出しを提供することを目的とする。
【課題を解決するための手段】
【０００６】
前記従来の課題を解決するために、本発明の家具用引き出しは、前面部はケコミ板と前板を連結部材を介して連結する構成とし、連結部材の両側端に取り付けたキャップの後端片をケコミ板の上面に載置し、前端片に前板を載置して位置決め可能とするようにしたものである。
【発明の効果】
【０００７】
本発明の家具用引き出しは、前面部の組立精度を向上しするとともに組立を容易にすることができ、しかも見栄が良い家具用引き出しを提供することができる。
【発明を実施するための最良の形態】
【０００８】
第１の発明は、略クランク形状の前面部を備えた引き出しにおいて、前面部はケコミ板と前板を連結部材を介して連結する構成とし、連結部材の両側端に取り付けたキャップの後端片をケコミ板の上面に載置し、前端片に前板を載置して位置決め可能とすることにより、前面部の組立精度を向上するとともに組立を容易にすることができ、しかも前板の前方からは連結部材は見えない見栄が良い家具用引き出しを提供することができる。
【０００９】
第２の発明は、特に、第１の発明の連結部材の両側端に取り付けたキャップの前端片の両側端面間の寸法と前板の幅寸法を略同一とし、キャップの側面に設けた突出部の両側面間の寸法とケコミ板の幅寸法を略同一とすることにより、ケコミ板と連結部材、前板と連結部材の各々の横方向の位置決めが可能となり、組立精度をより向上するとともに組立をより容易にすることができる。
【００１０】
第３の発明は、特に、第２の発明の前端片と突出部を一体に形成することにより、キャップを単純な形状にすることができるため、キャップの成型性を向上することができる。
【００１１】
第４の発明は、特に、第１〜３のいずれか１つの発明のキャップを左右対称形状とすることにより、両端のキャップを同一部品にすることができるため、部品の種類を減らし生産性を向上することができる。
【００１２】
第５の発明は、第１〜４のいずれか１つの発明の家具用引き出しをキャビネットの下部に備えた収納付家具とすることにより、収納性が良く見栄えの良い収納付家具を提供することができる。
【００１３】
以下、本発明の実施の形態について、図面を参照しながら説明する。なお、この実施の形態によって本発明が限定されるものではない。
【００１４】
（実施の形態１）
図１は本発明の第１の実施の形態における家具用引き出しをキャビネットに組み込んだ収納家具の斜視図を示し、図２は家具用引き出しの後方からの斜視図を示し、図３は家具用引き出しの断面図を示し、図４は家具用引き出しの前面部の要部詳細を示す斜視図である。
【００１５】
図において、前面開放のキャビネット５の下部に本発明の家具用引き出し６がレール（図示せず）を介して摺動自在に設置してあり、上部には扉７が開閉自在に設置してある。
【００１６】
キャビネット５の最下部は前面より後退しており、使用時に足のつま先が入り込む蹴込み部８を形成しており、家具用引き出し６の前面部９は蹴込み部８の形状に合わすため、奥行きの異なる略クランク形状を成している。
【００１７】
前面部９は、表面に化粧処理を施した板状の前板１０とケコミ板１１をアルミの押し出し成型材からなる連結部材１２を介して結合した構成でおり、連結部材１２は図３に示すように奥行き方向に伸びる水平辺１２ａと、水平辺１２ａの前端に垂直方向に設け前板１０を固定する前端辺１２ｂと、水平辺１２ａの後端に起立した後端辺１２ｃとにより連結部材１２の上面は溝形状を形成しており小物の収納場所として使用できる。また水平辺１２ａの下方に垂下した下方辺１２ｄはケコミ板１１の前面に当接しケコミ板１１の奥行き方向の取付位置を位置決めできる。
【００１８】
連結部材１２と前板１０の結合は前端辺１２ｂの背面より複数のねじ（図示せず）を介して結合しており、連結部材１２とケコミ板１１の結合は水平辺１２ａの上面より複数のねじ（図示せず）を介して結合してある。図１に示すように前板１０とケコミ板１１はキャビネット５の幅寸法と略等しい幅寸法で、連結部材１２はキャビネット５の内側の幅寸法より若干短い幅寸法となっている。
【００１９】
連結部材１２の両側端には樹脂材料で一体成型したキャップ１３が接着剤で接着してあり、キャップ１３の前方下部には前板１０を下方から受け前板の上下方向の位置決めができる前端片１３ａと後方にはケコミ板１１に載置する後端片１３ｂを備え、側面には連結部材１２の端部を挿入できる溝形状を形成してあり、連結部材１２とキャップ１３を接着剤を介して強固に固定できる。
【００２０】
また、ケコミ板１１の背面には複数の木製ダボを介して引き出し箱１４が結合してあり物品を収納できる構成となっている。
【００２１】
以上のように構成された家具用引き出しについて、以下その動作、作用を説明する。
【００２２】
まず、連結部材１２の両側端にキャップ１３を接着剤で接着したものを、キャップ１３の前端片１３ａを前板１０の下面に当接し、左右の取付位置が均等になるように位置決めをして連結部材１２の裏面より複数のねじで固定する。
【００２３】
同様に、キャップ１３の後端片１３ｂをケコミ板１１の前面に当接して、ケコミ板１１の上面に載置し、左右の取付位置が均等になるように位置決めをして、連結部材１２の上面より複数のねじで固定することにより家具用引き出し６の前面部９が完成し、その後ケコミ板１１の裏面に引き出し箱１４を結合することにより家具用引き出し６の組み立てが完了する。
【００２４】
以上のように本実施の形態における家具用引き出しは、前板と、接合部材と、ケコミ板の上下方向と奥行き方向の位置決めをキャップの前端部と後端部で容易に行うことができるので、前面部の組み立てを高い精度で短時間にできるものである。
【００２５】
なお、上記本実施の形態では横方向の位置決め手段は別途設けていたが、図５に示すようにキャップ１５の前端片１５ａを横方向に突出し、後方には後端片１５ｂを備え形状にし、キャップ１５を連結部材１２の両側端に取り付けた状態で、前端片１５ａの両側端面間の寸法と前板１０の幅寸法を略同一となるように、前端片１５ａの突出寸法を設定することにより、前板と連結部材の横方向の位置決めが可能となり、組立精度をより向上するとともに組立をより容易にすることができる。
【００２６】
また、上記に加え図６に示すように、キャップ１６の前端片１６ａに加え、後端片１６ｂの前方の側面に突出部１６ｃを設け、連結部材１２の両側端に取り付けたキャップ１６の突出部１６ｃの両側面間の寸法とケコミ板の幅寸法を略同一とすることにより、ケコミ板と連結部材、前板と連結部材の各々の横方向の位置決めが可能となり、組立精度をより向上するとともに組立をより容易にすることができる。
【００２７】
しかも、図７に示すように、キャップ１７の前端片１７ａと突出部１７ｃを一体に形成し、後方に後端片１７ｂを設けることにより、キャップを単純な形状にすることができるため、キャップの成型性を向上することができる。
【００２８】
また、図８、図９に示すように、キャップ１８の前端片１８ａと突出部１８ｃ左右両側に形成し、後方に後端片１７ｂを設けることにより、キャップ１８の形状を左右対称形状とすることとなり、左右のキャップを同一部品にすることができるため、部品の種類を減らすことが可能となり生産性を向上することができる。
【００２９】
なお、本実施の形態では連結部材とキャップの固定方法としては接着剤で接着したが、これに限るものではなく、ねじを介して固定する方法、あるいはキャップの樹脂の弾性を利用した嵌合による固定の方法等が採用できる。
【産業上の利用可能性】
【００３０】
以上のように、本発明にかかる家具用引き出しは、奥行きの異なる前板の組み立て精度を高めることが可能となるので、家庭用あるいは工業用の収納設備等の用途にも適用できる。
【図面の簡単な説明】
【００３１】
【図１】本発明の実施の形態１における収納家具の斜視図
【図２】本発明の実施の形態１における家具用引き出しの斜視図
【図３】本発明の実施の形態１における家具用引き出しの断面図
【図４】本発明の実施の形態１における前板部の要部斜視図
【図５】本発明の実施の形態１における別の形状のキャップを使用した前板部の要部斜視図
【図６】本発明の実施の形態１における別の形状のキャップを使用した前板部の要部斜視図
【図７】本発明の実施の形態１における別の形状のキャップを使用した前板部の要部斜視図
【図８】本発明の実施の形態１における別の形状のキャップの斜視図
【図９】本発明の実施の形態１における別の形状のキャップを使用した前板部の要部斜視図
【図１０】従来の家具用引き出し前板部の斜視図
【符号の説明】
【００３２】
５  キャビネット
９  前面部
１０  前板
１１  ケコミ板
１２  連結部材
１３、１５、１６、１７、１８  キャップ
１３ａ、１５ａ、１６ａ、１７ａ、１８ａ  前端片
１３ｂ、１５ｂ、１６ｂ、１７ｂ、１８ｂ  後端片
１６ｃ、１７ｃ、１８ｃ  突出部
【図１】
2005287996.tif 000003
【図２】
2005287996.tif 000004
【図３】
2005287996.tif 000005
【図４】
2005287996.tif 000006
【図５】
2005287996.tif 000007
【図６】
2005287996.tif 000008
【図７】
2005287996.tif 000009
【図８】
2005287996.tif 000010
【図９】
2005287996.tif 000011
【図１０】
2005287996.tif 000012